(57)【特許請求の範囲】
【請求項１】
帯状の台紙にほぼ等間隔に仮着され、かつ、印字開始時のセット領域識別用の切込み部が形成された表示ラベルに印字を行うプリンタであって、
前記表示ラベルに印字を施す印字手段と、
前記台紙および前記表示ラベルを搬送する搬送手段と、
互いに隣接する２つの前記表示ラベルの端部間の前記台紙のみの部分を検出する第１の検出手段と、
前記台紙に前記表示ラベルの端部より適宜位置離れ、等間隔で印刷された識別マークを検出する第２の検出手段と、
前記第１の検出手段による検出結果と、前記第２の検出手段による検出結果とに応じて前記搬送手段を制御する制御手段と、を備え、
印字開始時、前記切込み部に従い前記表示ラベルを印字開始時のセット領域に合せてのち搬送方向にフィードすると、前記制御手段を介し前記第２の検出手段により前記識別マークを検出して停止し、
さらに、前記搬送手段を搬送逆方向のフィードに転じて前記第１の検出手段により台紙のみの部分を検出して停止し、かつ、
受信したデータを前記印字手段にて1枚目の前記表示ラベルに印字するとともに、
前記第１の検出手段により次の２枚目の表示ラベルとの間の台紙のみの部分を検出して停止するよう制御する
ことを特徴とするプリンタ。
【請求項２】
前記制御手段は、前記２枚目の以降の印字時、前記第１の検出手段による台紙のみの検出により表示ラベルの位置を制御することを特徴とする請求項１に記載のプリンタ。
【請求項３】
帯状の台紙にほぼ等間隔に仮着され、かつ、印字開始時のセット領域識別用の切込み部が形成された表示ラベルに印字を行う印字制御方法であって、
前記表示ラベルに印字を施す印字手段と、
前記台紙および前記表示ラベルを搬送する搬送手段と、
互いに隣接する２つの前記表示ラベルの端部間の前記台紙のみの部分を検出する第１の検出手段と、
前記台紙に前記表示ラベルの端部より適宜位置離れ、等間隔で印刷された識別マークを検出する第２の検出手段と、
前記第１の検出手段による検出結果と、前記第２の検出手段による検出結果とに応じて前記搬送手段を制御する制御手段と、
切断部と、を備え、
印字開始時、前記切込み部に従い前記表示ラベルを印字開始時のセット領域に合せてのち搬送方向にフィードすると、前記制御手段を介し前記第２の検出手段により前記識別マークを検出して停止し、
次いで、前記搬送手段を搬送逆方向のフィードに転じて前記第１の検出手段により台紙のみの部分を検出し、かつ、
オンライン認識後データを受信すると前記印字手段にて１枚目の表示ラベルに印字を施しながら搬送するとともに、
前記第１の検出手段により次の２枚目の表示ラベルとの間の台紙のみの部分を検出すると、
前記切断部に台紙のみの部分を位置決めして停止することを特徴とする印字制御方法。
【発明の詳細な説明】
【技術分野】
【０００１】
本発明は、特に、１枚目の表示ラベルを無駄にすることのないプリンタおよび印字制御方法に関する。
【背景技術】
【０００２】
従来、透過型センサと反射型センサの両方を使用することにより、ラベル（表示ラベル）の位置関係に関係なく、ラベルの印字開始位置から印刷処理を施すような印刷装置（プリンタ）が知られている（例えば、特許文献１参照）。
この印字装置によれば、機種ごとに使用可能な用紙（台紙にラベルが仮着されている）の種類が決められており、掛け間違えると印字ズレを起こすため、種類が違っても適正な印字開始位置にラベルを位置決めしようとしたものである。すなわち、台紙にラベルが仮着された用紙には、台紙の裏面のラベルの先端（前端）（ラベルが搬送される方向の端部）に対応する位置にラベルの位置を検出するためのマークが印刷されているものと、台紙の裏面のラベルの終端（後端）に対応する位置にマークが印刷されているものがあり、また、印刷装置には、台紙の裏面のラベルの先端（前端）に対応する位置にマークが印刷されている用紙を使用する機種と、台紙の裏面のラベルの終端（後端）に対応する位置にマークが印刷されている用紙を使用する機種がある。このため、印刷装置の機種に応じて、その機種に適合する用紙を使用するようにしていたものであり、用紙の種類が異なると、ラベルに印字処理を施すときの印字開始位置がずれてしまうという問題点があったため、マークが印刷されている位置とラベルの位置関係に応じて、印字開始位置を自動的に移動して調整するものである。
しかしながら、特許文献１では、ラベルとラベルの間の台紙のみの部分、いわゆる、ギャップと、マークとによりラベルの位置を判定するため、搬送方向（フォーワード）に用紙上のラベルを１枚以上搬送させる必要があり、１枚目が無駄になるという問題点があった。
特に、ラベルが金券と同様に扱われる、例えば、サービスポイント用のラベルであったり、あるいは、現場(路上)にて駐車違反車両に対して警告表示する「放置車両認識標章」などのラベルであると不正発行、不正使用を防止するため、また、単価の高いラベルを無駄にしないため、確実に１枚目から印字できる印字装置（プリンタ）の開発が望まれた。
【特許文献１】特開２００５−１７８３０３号公報
【発明の開示】
【発明が解決しようとする課題】
【０００３】
本発明は、上記の問題点に着目して成されたものであり、１枚目から確実に印字ができるプリンタおよび印字制御方法を提供することを目的とする。
【課題を解決するための手段】
【０００４】
請求項１に記載のプリンタは、帯状の台紙にほぼ等間隔に仮着され、かつ、印字開始時のセット領域識別用の切込み部が形成された表示ラベルに印字を行うプリンタであって、前記表示ラベルに印字を施す印字手段と、前記台紙および前記表示ラベルを搬送する搬送手段と、互いに隣接する２つの前記表示ラベルの端部間の前記台紙のみの部分を検出する第１の検出手段と、前記台紙に前記表示ラベルの端部より適宜位置離れ、等間隔で印刷された識別マークを検出する第２の検出手段と、前記第１の検出手段による検出結果と、前記第２の検出手段による検出結果とに応じて前記搬送手段を制御する制御手段と、を備え、印字開始時、前記切込み部に従い前記表示ラベルを印字開始時のセット領域に合せてのち搬送方向にフィードすると、前記制御手段を介し前記第２の検出手段により前記識別マークを検出して停止し、さらに、前記搬送手段を搬送逆方向のフィードに転じて前記第１の検出手段により台紙のみの部分を検出して停止し、かつ、受信したデータを前記印字手段にて1枚目の前記表示ラベルに印字するとともに、前記第１の検出手段により次の２枚目の表示ラベルとの間の台紙のみの部分を検出して停止するよう制御することを特徴とする。
また、制御手段は、前記２枚目の以降の印字時、前記第１の検出手段による台紙のみの検出により表示ラベルの位置を制御するようにできる。
さらに、第２の発明に係る印字制御方法は、帯状の台紙にほぼ等間隔に仮着され、かつ、印字開始時のセット領域識別用の切込み部が形成された表示ラベルに印字を行う印字制御方法であって、前記表示ラベルに印字を施す印字手段と、前記台紙および前記表示ラベルを搬送する搬送手段と、互いに隣接する２つの前記表示ラベルの端部間の前記台紙のみの部分を検出する第１の検出手段と、前記台紙に前記表示ラベルの端部より適宜位置離れ、等間隔で印刷された識別マークを検出する第２の検出手段と、前記第１の検出手段による検出結果と、前記第２の検出手段による検出結果とに応じて前記搬送手段を制御する制御手段と、切断部と、を備え、印字開始時、前記切込み部に従い前記表示ラベルを印字開始時のセット領域に合せてのち搬送方向にフィードすると、前記制御手段を介し前記第２の検出手段により前記識別マークを検出して停止し、次いで、前記搬送手段を搬送逆方向のフィードに転じて前記第１の検出手段により台紙のみの部分を検出し、かつ、オンライン認識後データを受信すると前記印字手段にて１枚目の表示ラベルに印字を施しながら搬送するとともに、前記第１の検出手段により次の２枚目の表示ラベルとの間の台紙のみの部分を検出すると、前記切断部に台紙のみの部分を位置決めして停止することを特徴とする。
【発明の効果】
【０００５】
本発明に係るプリンタは、台紙のみを検出する第１の検出手段と、識別マークを検出する第２の検出手段とを備え、印字開始時、表示ラベルをセット領域に合せて搬送方向にフィードすると識別マークを検出し、搬送逆方向に転じて第１の検出手段により台紙のみの部分を検出して停止し、さらに、オンラインデータを受信するので、１枚目の表示ラベルから確実に印字できるという効果がある。
また、本発明に係る印字制御方法は、台紙のみの部分を検出したのち、切断部に台紙のみの部分を位置決めして停止するので、１枚目の表示ラベルが無駄なく発行され、表示ラベルを不正使用されることがなくなるという効果がある。
【発明を実施するための最良の形態】
【０００６】
以下、本発明のプリンタを図１ないし図６に基づき説明する。
【０００７】
図１は、本発明のプリンタ５０の一実施の形態の構成例を示している。本実施の形態は、主に、台紙１に後述の表示ラベル２が等間隔で仮着され、巻回された連続体３を供給する媒体供給部４と、媒体供給部４から供給された連続体３の表示ラベル２の印刷開始位置などを検出するための透過センサ５および反射センサ６と、表示ラベル２に印刷処理を施す印字手段７と、印字手段７の下流側の図示省略の筐体に形成された切断部としての切断刃８と、前記各部を制御する制御部９などから構成されている。
【０００８】
第１の検出手段としての透過センサ５と、第２の検出手段としての反射センサ６は、それぞれ連続体３の紙送り方向に対して直交する方向に並列して配置されている。透過センサ５は、所定の光を出射する発光部５ａと、その光を受光する受光５ｂとから構成され、発光部５ａおよび受光部５ｂは、連続体３を挟んで対向する位置にそれぞれ配置されており、後述する連続体３の表示ラベル２間の台紙１のみの部分、いわゆる、「ギャップ部」を検出するようになっている。また、反射センサ６は、所定の光を出射する発光部６ａと、その光を受光する受光部６ｂとから構成され、発光部６ａおよび受光部６ｂは、連続体３の台紙１側に配置されており、後述する連続体３の台紙１裏面の「識別マーク」を検出するようになっている。なお、図１の例では、説明の都合上、透過センサ５と反射センサ６は搬送方向でずらして図示してある。
印字手段７は、サーマルヘッド１０と、連続体３をサーマルヘッド１０との間で押圧するプラテン１１とを備え、プラテン１１の回動により連続体３を搬送方向（矢示Ｆ方向）、または搬送逆方向（矢示Ｂ方向）へ搬送あるいはフィードするようになっている。また、１８はステッピングモータであり、このステッピングモータ１８の回動がギア２６を介して前記プラテン１１へ伝えられるようになっている。
【０００９】
図２は、図１の実施の形態の電気的な構成例を示すブロック図である。同図に示すように、制御部９は、ＲＯＭ（ｒｅａｄ  ｏｎｌｙ  ｍｅｍｏｒｙ）１３に記憶されているプログラムに従って各種処理を実行し、各部を制御するＣＰＵ（ｃｅｎｔｒａｌ  ｐｒｏｃｅｓｓｉｎｇ  ｕｎｉｔ）１２と、ＣＰＵ１２が各種処理を実行する上で必要となる各種データを記憶するＲＡＭ（ｒａｎｄｏｍ  ａｃｃｅｓｓ  ｍｅｍｏｒｙ）１４と、連続体３を搬送する前記プラテン１１を駆動するステッピングモータ１８と、ステッピングモータ１８を制御するモータ制御部１９と、連続体３の表示ラベル２に印字を行う前記サーマルヘッド１０を制御する印字制御部２０と、前記透過センサ５および反射センサ６を制御し、センサ５、６から出力された信号をデジタルのデータに変換して位置検出データとしてＣＰＵ１２に供給するセンサ制御部２１と、作動状況や停止状態などを色で認識可能とするＬＥＤ（Ｌｉｇｈｔ  ｅｍｉｔｔｉｎｇ  ｄｉｏｄｅ）などで作製された表示器１５と、表示器１５に表示すべき各種情報に対応する制御信号を表示器１５に供給して表示器１５を制御する表示制御部２２と、ＰＣ（パーソナルコンピュータ）１６等の外部機器が接続されるインタフェース部１７と、インタフェース部１７を制御し、インタフェース１７部を介して接続された外部機器との間でデータの送受信を行う外部インタフェース制御部２３と、各部に電力を供給するバッテリ２４とを備えている。
【００１０】
図３は、表示ラベル２として「放置車両認識標章」を例示した図であり、表示ラベル２が連接された連続体３を示している。
同図に示すように、連続体３は、台紙１と、この台紙１より若干小さめな表示ラベル２とを備えており、表示ラベル２は、長手方向（図３における縦方向）に連続して連接されている。表示ラベル２間は、台紙１のみの部分、いわゆる、ギャップ部３０となっている。また、表示ラベル２はスリットＳ１によって第一の表示ラベル２ａと、第二の表示ラベル２ｂとに分離可能なように区画・形成されている。
また第一の表示ラベル２ａには、上端部（図３における上端部）より適宜位置離れた左右両端部にセット領域識別用の切込み部３４が形成されており、上端部と前記切込み部３４の間が、後述する印字開始時の表示ラベル２（連続体３）をセットする際のセット領域Ｐとなるものである。さらに、第一の表示ラベル２ａの表面は、注意を喚起し易いよう斜線の部分が黄色で印刷されるとともに、「駐車違反」の文字３１や駐車禁止マーク３２などがプレ印刷されている。また、黄色（斜線の部分）以外の白い部分、および「（標章番号）」や「（登録（車両）番号）」などの項目見出し文字に続くエリアは、後述する可変情報の印字エリア３３となっている。
第二の表示ラベル２ｂは、控え用として第一の表示ラベル２ａと同様の可変情報を印字するようになっている。
【００１１】
図４は、台紙１の裏面（表示ラベル２が仮着されていない面）側から見た連続体３の構成例を示している。台紙１には、縦横にスリットＳ２やミシン目Ｍが形成されており、このスリットＳ２およびミシン目Ｍにより台紙１は複数の「切離し部」に区画・形成される。そして、前記スリットＳやミシン目Ｍに沿って台紙１の「切離し部」を選択的に剥がすと、図示省略の粘着剤層が露呈するようになっている。なお、台紙１裏面におけるスリットＳ２およびミシン目Ｍは、本実施の形態において主要部分ではないため、詳説は省略する。
また、３５は、表示ラベル２に対し印字を行う際の位置などの検出用に設けられた識別マークであり、この識別マーク３５は、表示ラベル２の上端部より適宜位置離れた箇所に設けられている。
【００１２】
次に、主に、図５に基づき、上記プリンタ５０における連続体３（表示ラベル２）の印字位置決め制御につき説明する。
同図は、表示ラベル２が台紙１上に連続して形成されている状態の連続体３を台紙１側より見た説明図である。なお、説明の都合上、台紙１裏面に形成された前述のスリットＳ２およびミシン目Ｍは省略してある。
【００１３】
図５（ａ）は、媒体供給部４に連続体３を装着し、連続体３の１枚目の表示ラベル２Ｘのセット領域Ｐ、即ち、表示ラベル２の上端部（図５における左端部）と切込み部３４の間に形成された領域、を用紙カット位置Ｃである切断刃８の位置に位置決めしたときの図であって、位置決め後、図示省略のＦＥＥＤ（フィード）キーを押下する。ＦＥＥＤキーの押下によって、サーマルヘッド１０とプラテン１１の間にて押圧された連続体３は、プラテン１１の回転により搬送方向（矢示Ｆ方向）にフィードされる。
【００１４】
このフィード搬送時に、連続体３の台紙１裏面の識別マーク３５が第２の検出手段である反射センサ６位置（センサ位置Ｓ）に達すると、同センサ６により識別マーク３５が検出されて停止する（図５（ｂ）参照）。
【００１５】
次に、今度はプラテン１１の回転を搬送逆方向（矢示Ｂ方向）に転じて先頭（１枚目）の表示ラベル２Ｘの先端部（図５における左端部）が第１の検出手段である透過センサ５により検出されると（図５（ｃ）参照）、印字開始位置と認識する。即ち、透過センサ５にて台紙１のみの部分（ギャップ部３０）を検出してから表示ラベル２を検出した時点を「印字開始位置」と認識するようになっており、連続体３の表示ラベル２Ｘが印字開始位置に達すると、プリンタ５０はオンライン状態となり、ＰＣ１６を介して印字データ（図示省略）を受信するとともに、今度は下流側である搬送方向（矢示Ｆ方向）に連続体３を搬送しながら先に受信した図示省略の受信データを、印字制御部２０を介してサーマルヘッド１０に送り表示ラベル２に印字する。印字は、１件分の受信データの印字が終了するまで続行し（図５（ｄ）参照）、印字終了後は、次（２枚目）の表示ラベル２Ｙとの間のギャップ部３０が用紙カット位置Ｃ、すなわち、切断刃８の位置に達するまで搬送方向（矢示Ｆ方向）に搬送される（図５（ｅ）参照）。
切断刃８の位置にギャップ部３０が位置決めされた連続体３は操作者の手により１枚の表示ラベル２として切取られる。
１枚目の表示ラベル２Ｘが切断されると連続体３は、搬送逆方向（矢示Ｂ方向）へ搬送され、次の２枚目の表示ラベル２Ｙの先端部が透過センサ５にて検出されて停止する（図５（ｃ）参照）。以後は、同図（ｄ）、（ｅ）、（ｃ）を繰り返す。
なお、１枚目の表示ラベル２Ｘの切取り後は、反射センサ６による識別マーク３５の検出は行わず、透過センサ５によるギャップ部３０の検出のみ行って位置決めするようになっている。
【００１６】
次に、図６に基づき、プリンタ５０にて可変情報を印字した表示ラベル２について説明する。
表示ラベル２は、路上などの現場において違反状況などの可変情報を印字するものであり、携帯型のプリンタ５０にて図３における印字前の表示ラベル２の可変情報の印字エリア３３に可変情報を印字したものである。すなわち、同図に示すように、第一の表示ラベル２ａには、発行した表示ラベル２の固有の番号である標章番号２５ａ、登録（車両）番号２５ｂ、前記標章番号２５ａなどをコード化したバーコード２５ｃ、管轄警察署名２５ｄ、取扱者２５ｅ、電話番号２５ｆ、違反状況２５ｇ（日時・場所・態様）などの可変情報を印字するものであり、また、発行者の控である第二の表示ラベル２ｂには、前記標章番号２５ａ、登録（車両）番号２５ｂ、違反状況２５ｇと同様の可変情報が印字される。
【００１７】
上述したように、台紙のみを検出する第１の検出手段と、識別マークを検出する第２の検出手段とを備え、印字開始時、表示ラベルをセット領域に合せて搬送方向にフィードすると識別マークを検出し、さらに、搬送逆方向に転じて第１の検出手段により台紙のみの部分を検出して停止するので、１枚目の表示ラベルから確実に印字できる。
【００１８】
また、台紙のみの部分を検出後、受信したデータを印字手段にて1枚目の表示ラベルに印字するとともに、第１の検出手段により次の２枚目の表示ラベルとの間の台紙のみの部分を切断部に位置決めして停止するので、１枚目の表示ラベルが無駄なく発行され、不正使用されることがなくなる。
【００１９】
なお、上記実施の形態の構成及び動作は例であって、本発明の趣旨を逸脱しない範囲で適宜変更することができることは言うまでもない。
【図面の簡単な説明】
【００２０】
【図１】本発明の一実施の形態によるプリンタの概略説明図である。
【図２】同、図１の実施の形態の電気的な構成例を示すブロック図である。
【図３】同、プリンタで印字する表示ラベルの印字前の概略説明図である。
【図４】同、図３の表示ラベルを台紙の裏面側から見た概略説明図である。
【図５】同、プリンタ５０における表示ラベルの印字位置決め制御を示す概略説明図である。
【図６】同、プリンタで可変情報を印字したあとの表示ラベルを示す図３相当の概略説明図である。
【符号の説明】
【００２１】
Ｐ    セット領域
Ｆ    搬送方向
Ｂ    搬送逆方向
Ｓ、Ｓ１、Ｓ２    スリット
Ｍ    ミシン目
５０  プリンタ
１    台紙
２、２ａ、２ｂ    表示ラベル
３    連続体
４    媒体供給部
５、５ａ、５ｂ    透過センサ
６、６ａ、６ｂ    反射センサ
７    印字手段
８    切断部（切断刃）
９    制御部
１０  サーマルヘッド
１１  プラテン
１２  ＣＰＵ
１３  ＲＯＭ
１４  ＲＡＭ
１５  表示器（ＬＥＤ）
１６  ＰＣ（パーソナルコンピュータ）
１７  インタフェース部
１８  ステッピングモータ
１９  モータ制御部
２０  印字制御部
２１  センサ制御部
２２  表示制御部
２３  外部インタフェース制御部
２４  バッテリ
２５ａ  標章番号
２５ｂ  車両番号
２５ｃ  バーコード
２５ｄ  管轄警察署名
２５ｅ  取扱者
２５ｆ  連輪番号
２５ｇ  違反状況
２６  ギア
３０  ギャップ部
３１  文字
３２  駐車禁止マーク
３３  印字エリア
３４  切込み部
３５  識別マーク
【図１】
0004611164.tif 000002
【図２】
0004611164.tif 000003
【図３】
0004611164.tif 000004
【図４】
0004611164.tif 000005
【図５】
0004611164.tif 000006
【図６】
0004611164.tif 000007